(57)【要約】【課題】簡単かつ安価に実施でき、投票券のレイアウト変更にも容易に対処できると共に、多数の相互払戻し場の見本券の管理も容易にできる運用上便利な公営競技における相互払戻し照合用見本券の配信表示システムを提供する。【解決手段】公営競技における投票券を、読み取り処理に互換性のない異なる複数の競走場間で相互に払戻しする際に用いる照合用見本券の配信表示システムであって、複数の競走場のそれぞれに見本券端末１を設置して、それらをネットワークを介して見本券サーバ２に通信可能に接続し、各見本券端末１により自場で発券する投票券の見本券イメージを作成して見本券サーバ２に登録し、任意の見本券端末１から見本券サーバ２に対して所望の投票券の見本券イメージを要求することにより、見本券サーバ２において対応する見本券イメージを検索して、その検索した見本券イメージを要求元の見本券端末１に配信して表示する。【選択図】        図１
2004334406.tif 000002
【特許請求の範囲】
【請求項１】
公営競技における投票券を、読み取り処理に互換性のない異なる複数の競走場間で相互に払戻しする際に用いる照合用見本券の配信表示システムであって、
上記複数の競走場のそれぞれに見本券端末を設置して、それらの見本券端末をネットワークを介して見本券サーバに通信可能に接続し、
上記各見本券端末により自場で発券する投票券の見本券イメージを作成して上記見本券サーバに登録し、
任意の見本券端末から上記見本券サーバに対して所望の投票券の見本券イメージを要求することにより、上記見本券サーバにおいて対応する見本券イメージを検索して、その検索した見本券イメージを要求元の見本券端末に配信して表示することを特徴とする公営競技における相互払戻し照合用見本券の配信表示システム。
【請求項２】
上記見本券サーバに、上記複数の競走場における投票券の的中情報を登録し、上記検索した見本券イメージを、その的中情報を含む見本券イメージに再作成して上記要求元の見本券端末に配信することを特徴とする請求項１に記載の公営競技における相互払戻し照合用見本券の配信表示システム。
【請求項３】
上記各見本券端末から偽造券イメージを入力して上記見本券サーバに登録し、この偽造券イメージを上記見本券端末からの要求に応じて当該見本券端末に配信して表示することを特徴とする請求項１または２に記載の公営競技における相互払戻し照合用見本券の配信表示システム。
【請求項４】
請求項１〜３のいずれか一項に記載の公営競技における相互払戻し照合用見本券の配信表示システムに用いる見本券サーバであって、
上記各見本券端末から入力される見本券イメージを格納する記憶手段と、
上記記憶手段に記憶されている見本券イメージの払戻し有効期限を管理して、払戻し有効期限が経過した見本券データを上記記憶手段から削除すると共に、上記見本券端末からの所望の投票券の見本券イメージの要求に応じて、上記記憶手段から対応する見本券イメージを検索して、その検索した見本券イメージを要求元の見本券端末に配信するように制御する制御手段と、
を有することを特徴とする見本券サーバ。
【請求項５】
請求項１〜３のいずれか一項に記載の公営競技における相互払戻し照合用見本券の配信表示システムを実現するためのプログラムを記録したコンピュータ読み取り可能な記録媒体であって、
上記見本券端末の動作を制御するためのコンピュータに、自場で発券する投票券の見本券イメージを作成して上記見本券サーバに送信する機能と、上記見本券サーバに対して所望の投票券の見本券を要求する機能と、上記見本券サーバから配信される見本券イメージを表示する機能とを実現させるためのプログラムと、
上記見本券サーバの動作を制御するためのコンピュータに、上記見本券端末から送信される見本券イメージを登録する機能と、上記見本券端末からの見本券イメージの要求に応じて対応する見本券イメージを検索する機能と、その検索した見本券イメージを要求元の上記見本券端末に配信する機能とを実現させるためのプログラムと、
を記録したことを特徴とするコンピュータ読み取り可能な記録媒体。
【発明の詳細な説明】
【０００１】
【発明の属する技術分野】
本発明は、競輪、競馬、競艇、オート等の公営競技における投票券を、読み取り処理に互換性のない異なる複数の競走場間で相互に払戻しする際に用いる照合用見本券の新規な配信表示システム、およびそれに用いる見本券サーバ、並びに配信表示システムを実現するためのプログラムを記録したコンピュータ読み取り可能な記録媒体に関するものである。
【０００２】
【従来の技術】
公営競技における投票券を、異なる複数の競走場間で相互に払戻しサービスを行なうにあたり、競走場間で投票券の読取処理に互換性がない場合（新投票券、旧投票券、非対応投票券等）には、相互払戻し場で投票券を照合できるように自場で発券された投票券がどのような投票券であるかを相互払戻し場に通知する必要がある。なお、本明細書において競走場は、場外発売所も含むものとする。
【０００３】
このため、従来は、例えば図１３に示すように、三つの競走場Ａ，ＢおよびＣ間で相互払戻しを行なう場合には、投票券の払戻し業務を実施する前に、競走場Ａ，Ｂ，Ｃにおいてそれぞれ見本券を作成して予め相互払戻し場に送付しておき、相互払戻し場では送付された見本券とファンから差し出された投票券とを目視で照合して、払戻し業務を行っていた。
【０００４】
【発明が解決しようとする課題】
しかしながら、従来は各競走場において見本券を作成して、それを相互払戻し場に送付する必要があるため、見本券作成のための人件費や送付のための輸送費がかかると言う問題がある。
【０００５】
しかも、見本券は投票券のレイアウト変更を行なう毎に作成する必要があると共に、全国の競走場で相互払戻しサービスを行なう場合は、場外発売場等を含めると多数の見本券の管理が必要になるため、真券／偽造券の判別や的中／不的中の判別等、運用上便利であるとは言い難いものであった。
【０００６】
したがって、かかる点に鑑みてなされた本発明の目的は、簡単かつ安価に実施でき、投票券のレイアウト変更にも容易に対処できると共に、多数の相互払戻し場の見本券の管理も容易にできる運用上便利な公営競技における相互払戻し照合用見本券の配信表示システム、およびそれに用いる見本券サーバ、並びに配信表示システムを実現するためのプログラムを記録したコンピュータ読み取り可能な記録媒体を提供することにある。
【０００７】
【課題を解決するための手段】
上記目的を達成する請求項１に係る発明は、公営競技における投票券を、読み取り処理に互換性のない異なる複数の競走場間で相互に払戻しする際に用いる照合用見本券の配信表示システムであって、
上記複数の競走場のそれぞれに見本券端末を設置して、それらの見本券端末をネットワークを介して見本券サーバに通信可能に接続し、
上記各見本券端末により自場で発券する投票券の見本券イメージを作成して上記見本券サーバに登録し、
任意の見本券端末から上記見本券サーバに対して所望の投票券の見本券イメージを要求することにより、上記見本券サーバにおいて対応する見本券イメージを検索して、その検索した見本券イメージを要求元の見本券端末に配信して表示することを特徴とするものである。
【０００８】
請求項１に係る発明によると、相互払戻しサービスを行なう各競走場において、投票券の払戻しに先立って、自場で発券される投票券の見本券イメージが見本券端末により作成されてネットワークを介して見本券サーバに登録され、投票券の払戻しにおいては、ファンから提出された投票券に対応する競走場の見本券イメージを見本券端末から見本券サーバに要求することで、見本券サーバにおいて対応する見本券イメージが検索されて要求元の見本券端末に配信表示されるので、表示された見本券イメージとファンから提出された投票券とを照合して払戻し業務を実行することが可能となる。したがって、簡単かつ安価に実施でき、投票券のレイアウト変更にも容易に対処できると共に、多数の相互払戻し場の見本券の管理も容易に行なうことが可能となる。
【０００９】
請求項２に係る発明は、請求項１に記載の公営競技における相互払戻し照合用見本券の配信表示システムにおいて、上記見本券サーバに、上記複数の競走場における投票券の的中情報を登録し、上記検索した見本券イメージを、その的中情報を含む見本券イメージに再作成して上記要求元の見本券端末に配信することを特徴とするものである。
【００１０】
請求項２に係る発明によると、的中券により近い見本券イメージが見本券端末に表示されるので、的中／不的中の判別をより正確に行なうことができ、誤払戻しを確実に防止することが可能となる。
【００１１】
請求項３に係る発明は、請求項１または２に記載の公営競技における相互払戻し照合用見本券の配信表示システムにおいて、上記各見本券端末から偽造券イメージを入力して上記見本券サーバに登録し、この偽造券イメージを上記見本券端末からの要求に応じて当該見本券端末に配信して表示することを特徴とするものである。
【００１２】
請求項３に係る発明によると、偽造券が発見された場合には、その偽造券に関する情報を当該競走場の見本券端末から見本券サーバに登録することで、相互払戻しサービスを行なう他の競走場の見本券端末に配信して表示することができるので、偽造券による払戻しの再発を確実に防止することが可能となる。
【００１３】
請求項４に係る発明は、請求項１〜３のいずれか一項に記載の公営競技における相互払戻し照合用見本券の配信表示システムに用いる見本券サーバであって、
上記各見本券端末から入力される見本券イメージを格納する記憶手段と、
上記記憶手段に記憶されている見本券イメージの払戻し有効期限を管理して、払戻し有効期限が経過した見本券データを上記記憶手段から削除すると共に、上記見本券端末からの所望の投票券の見本券イメージの要求に応じて、上記記憶手段から対応する見本券イメージを検索して、その検索した見本券イメージを要求元の見本券端末に配信するように制御する制御手段と、
を有することを特徴とするものである。
【００１４】
請求項４に係る発明によると、払戻し有効期限が経過した見本券データは見本券サーバから削除されるので、払戻し有効期限が経過した投票券の払戻しを確実に防止することが可能となる。
【００１５】
請求項５に係る発明は、請求項１〜３のいずれか一項に記載の公営競技における相互払戻し照合用見本券の配信表示システムを実現するためのプログラムを記録したコンピュータ読み取り可能な記録媒体であって、
上記見本券端末の動作を制御するためのコンピュータに、自場で発券する投票券の見本券イメージを作成して上記見本券サーバに送信する機能と、上記見本券サーバに対して所望の投票券の見本券を要求する機能と、上記見本券サーバから配信される見本券イメージを表示する機能とを実現させるためのプログラムと、
上記見本券サーバの動作を制御するためのコンピュータに、上記見本券端末から送信される見本券イメージを登録する機能と、上記見本券端末からの見本券イメージの要求に応じて対応する見本券イメージを検索する機能と、その検索した見本券イメージを要求元の上記見本券端末に配信する機能とを実現させるためのプログラムと、
を記録したことを特徴とするものである。
【００１６】
請求項５に係る発明によると、見本券端末および見本券サーバに記録媒体を読み込ませることで、請求項１〜３の配信表示システムを簡単に実現することが可能となる。
【００１７】
【発明の実施の形態】
以下、本発明の実施の形態について、図面を参照して説明する。
【００１８】
図１は、本発明の第１実施の形態としての公営競技における相互払戻し照合用見本券の配信表示システムの概略構成を示す図である。本実施の形態では、相互払戻しサービスを行なう各競走場（図１では、競走場Ａ，Ｂ，Ｃ）にそれぞれ見本券端末１を設置して、これらの見本券端末１をネットワークを介して見本券サーバ２に通信可能に接続する。なお、見本券サーバ２は、例えば任意の競走場に設置する。
【００１９】
見本券端末１は、図２に示すように、見本券サーバ２との間で見本券データ等の各種データの送受信を行なうデータ送受信部５と、見本券データ等を入力する入力部６と、見本券イメージ等を表示する表示部７と、見本券イメージ等を印刷する印刷部８と、各部の動作を制御する制御部（ＣＰＵ）９とを有し、例えばパーソナルコンピュータ（ＰＣ）を用いて構成する。
【００２０】
また、見本券サーバ２は、図２に示すように、各見本券端末１との間で見本券データ等の各種データの送受信を行なうデータ送受信部１１と、配信表示システムを実現するためのプログラム等を記憶するメモリ１２と、各競走場からの見本券イメージを含む見本券データ等を格納する記憶手段であるディスク１３と、メモリ１２に記憶されているプログラムに従って全体の動作を制御する制御手段であるＣＰＵ１４とを有し、例えばＰＣを用いて構成する。
【００２１】
本実施の形態では、相互払戻しサービスを行なう各競走場において、投票券の払戻しに先立って、見本券端末１により自場で発券する投票券の見本券イメージを作成して、そのデータを見本券サーバ２に登録する。その後、投票券の払戻しにおいては、見本券端末１を操作して、ファンから提出された投票券に対応する競走場の見本券データを見本券サーバ２から検索して、その見本券イメージを当該見本券端末１の表示部７に表示すると共に、必要に応じて印刷部８で印刷し、これによりファンから提出された投票券と、検索した対応する競走場の見本券イメージとを照合して払戻し業務を実行する。
【００２２】
以下、見本券端末１による見本券イメージの作成動作および検索動作の一例についてさらに詳細に説明する。
【００２３】
先ず、見本券イメージの作成動作について、図３に示すフローチャート、図４に示す見本券作成プレ作業画面、および図５に示す見本券イメージ作成画面を参照しながら説明する。見本券イメージの作成動作においては、先ず、図３のステップＳ１において、見本券端末１の入力部６を操作して、表示部７に図４に示すような見本券作成プレ作業画面を表示し、この見本券作成プレ作業画面に対して入力部６を操作して、作成する見本券イメージの発売日付、競走場コード（自場）、見本券イメージを通知する競走場をセットし、セット完了後、見本券イメージを作成する券面種別釦（通常券、ボックス券、流し券等）を選択押下する。
【００２４】
券面種別が選択されたら、次に、図３のステップＳ２において、表示部７に図５に示すような見本券イメージ作成画面を表示する。この見本券イメージ作成画面には、図４の見本券作成プレ作業画面での入力に応じて、自場で発券する投票券イメージ２１を表示すると共に、この投票券に記載する各種項目のフォントデータ２２を表示して、入力部６の操作により、フォントデータ２２から開催場を表すフォントを選択して、投票券イメージ２１の対応する欄にセットする。
【００２５】
同様に、フォントデータ２２から、施行者フォント、バーコードフォント、レースフォント、賭式フォント、組番フォント、金額フォント等を選択して、投票券イメージ２１のそれぞれ対応する欄にセットし、投票券面のイメージを作成する。また、投票券に特徴がある場合には、その特徴、例えば偽造防止に係るポイント（券面左部に特殊インキ有り等）を入力してもよい。
【００２６】
以上の入力操作が終了したら、図３のステップＳ３において、入力部６の操作により見本券イメージ作成画面中の見本券イメージ登録釦を押下して、作成した見本券のイメージデータおよび図４の見本券作成プレ作業画面で入力したデータを含む見本券データを見本券サーバ２に送信して登録する。
【００２７】
上記の見本券作成動作は、自場で発行する全ての券面種別について行なって、それぞれの見本券データを見本券サーバ２に送信して登録する。また、見本券サーバ２は、見本券端末１からの見本券データを登録したら、図３のステップＳ４において、当該見本券端末１により図４に示した見本券作成プレ作業画面で選択された各競走場の見本券端末１に見本券イメージが登録された旨を通知する。この通知を受信することにより、当該見本券端末１において、相互払戻しサービスを行なう競走場の見本券イメージの検索が可能となる。
【００２８】
次に、見本券イメージの検索動作について、図６に示すフローチャート、図７に示す見本券検索画面、および図８に示す見本券イメージ画面を参照しながら説明する。見本券イメージの検索動作においては、先ず、図６のステップＳ１１において、見本券端末１の入力部６を操作して、表示部７に図７に示すような見本券検索画面を表示し、この見本券検索画面に対して入力部６を操作して、払戻しを行なうための券面の発売場、発売日付、レース、賭式を入力して検索釦を押下する。
【００２９】
その後、図６のステップＳ１２において、入力データに基づいて見本券サーバ２に問い合わせを行なって、該当する見本券イメージを検索する。なお、見本券サーバ２では、ディスク１３に記憶されている見本券イメージの払戻し有効期限をＣＰＵ１４で管理して、払戻し有効期限が経過した見本券データはディスク１３から削除するようにし、これにより払戻し有効期限が経過した投票券の払戻しを防止するようにする。
【００３０】
該当する見本券イメージが検索されたら、次に、図６のステップＳ１３において、その検索した見本券イメージを図８に示すように表示部７に表示すると共に、必要に応じて入力部６の操作により画面上のプリントアウト釦を押下して、見本券イメージを印刷部８で印刷して出力する。これにより、ファンから提出された投票券と、検索した対応する競走場の見本券イメージとを照合して払戻し業務を実行する。
【００３１】
なお、本実施の形態では、各見本券端末１あるいは見本券サーバ２から各競走場における的中内容をも入力して見本券サーバ２に登録し、その的中内容を図８の見本券イメージ画面に表示する。また、図５に示した見本券イメージ作成画面において、投票券の特徴が入力された場合には、その情報も図８の見本券イメージ画面に表示する。
【００３２】
このように、的中内容も登録して表示することにより、払戻し窓口のオペレータが誤って不的中券の払戻しを行なうことを防止することができ、また、投票券の特徴を表示することにより、誤って偽造券の払戻しを行なうことを防止することができる。
【００３３】
本実施の形態によれば、相互払戻しサービスを行なう各競走場において、投票券の払戻しに先立って、見本券端末１により自場で発券する投票券の見本券イメージを作成してネットワークを介して見本券サーバ２に登録し、投票券の払戻しにおいては、見本券端末１を操作して、ファンから提出された投票券に対応する競走場の見本券イメージを見本券サーバ２から検索して、当該見本券端末１の表示部７に表示すると共に、必要に応じて印刷部８で印刷し、これによりファンから提出された投票券と、検索した対応する競走場の見本券イメージとを照合して払戻し業務を実行するようにしたので、簡単かつ安価に実施でき、投票券のレイアウト変更にも容易に対処できると共に、多数の相互払戻し場の見本券の管理も容易にできる。
【００３４】
また、本実施の形態では、見本券サーバ２において、登録された見本券データの払戻し有効期限を管理し、払戻し有効期限が経過した見本券データは削除するようにしたので、払戻し有効期限が経過した投票券の払戻しを確実に防止することができると共に、見本券サーバ２に的中内容や投票券の特徴を登録して、検索した見本券イメージと一緒に表示するようにしたので、的中／不的中の判別や真券／偽造券の判別をより正確に行なうことができ、誤払戻しを確実に防止することができる。
【００３５】
なお、本実施の形態の上記の動作を実行するプログラムは、コンピュータ読み取り可能な記録媒体に記録し、この記録媒体を各見本券端末１および見本券サーバ２において読み取るようにする。
【００３６】
本発明の第２実施の形態では、図１に示した第１実施の形態のシステム構成において、見本券サーバ２と相互払戻しサービスを行なう各トータリゼータシステムとをネットワークを介して接続し、各トータリゼータシステムから見本券サーバ２に的中情報を送信して登録することにより、各見本券端末１からの検索条件に対応する見本券イメージを、的中情報を含む見本券イメージに再作成して送信するようにする。
【００３７】
このようにすれば、ある見本券端末１から見本券サーバ２に、例えば図９（ａ）に示すような見本券イメージが登録されている場合に、当該見本券における的中情報を対応するトータリゼータシステムから見本券サーバ２に登録することにより、図９（ｂ）に示すような的中券により近い見本券イメージに再作成して送信することができる。
【００３８】
本発明の第３実施の形態では、第１あるいは第２実施の形態のシステム構成において、さらに、任意の競走場で偽造券が発見された場合に、その偽造券に関する情報を当該競走場の見本券端末１から見本券サーバ２に登録して、相互払戻しサービスを行なう他の競走場の見本券端末１に配信する。
【００３９】
以下、本実施の形態による偽造券情報の作成・配信動作について、図１０に示すフローチャート、図１１に示す偽造券イメージ作成画面、および図１２に示す偽造券イメージ画面を参照しながら説明する。偽造券イメージの作成動作においては、先ず、図１０のステップＳ２１において、見本券端末１の入力部６を操作して、表示部７に図１１に示すような偽造券イメージ作成画面を表示し、この偽造券イメージ作成画面に対して入力部６を操作して、図５に示した見本券イメージの作成操作と同様の操作により、偽造券面のイメージを作成すると共に、偽造手口の特徴や警告に必要な情報（例えば、犯人として注意すべき写真等）があれば、その情報を入力する。
【００４０】
以上の入力操作が終了したら、図１０のステップＳ２２において、入力部６の操作により偽造券イメージ作成画面中の偽造券イメージ登録釦を押下して、作成した偽造券イメージを含む偽造券データを見本券サーバ２に送信して登録し、登録が完了したら、ステップＳ２３において、見本券サーバ２から相互払戻しサービスを行なう他の競走場の見本券端末１に対して偽造券イメージが登録された旨を通知する。
【００４１】
その後は、見本券端末１からの偽造券イメージの検索に応じて、偽造券イメージ、および偽造手口の特徴や警告に必要な情報が登録されていれば、その情報を含む偽造券情報を配信して、当該見本券端末１の表示部７に図１２に示すような偽造券イメージ画面を表示すると共に、必要に応じて入力部６の操作により画面上のプリントアウト釦を押下して、偽造券イメージを印刷部８で印刷して出力する。
【００４２】
このように、本実施の形態においては、偽造券が発見された場合に、その偽造券に関する情報を当該競走場の見本券端末１から見本券サーバ２に登録して、相互払戻しサービスを行なう他の競走場の見本券端末１に配信するようにしたので、偽造券による払戻しの再発を確実に防止することができる。
【００４３】
なお、本発明は、上記実施の形態にのみ限定されるものではなく、幾多の変更または変形が可能である。例えば、第２実施の形態では、見本券サーバ２と相互払戻しサービスを行なう各トータリゼータシステムとをネットワークを介して接続することにより、各トータリゼータシステムから見本券サーバ２に的中情報を送信して登録するようにしたが、このような的中情報は手入力によって見本券サーバ２に登録するようにすることもできる。
【００４４】
【発明の効果】
以上のように、本発明の公営競技における相互払戻し照合用見本券の配信表示システムによれば、相互払戻しサービスを行なう各競走場にそれぞれ見本券端末を設置して、これらをネットワークを介して見本券サーバに接続し、投票券の払戻しに先立って、各競走場において自場で発券される投票券の見本券イメージを見本券端末により作成して見本券サーバに登録し、投票券の払戻しにおいては、ファンから提出された投票券に対応する競走場の見本券イメージを見本券端末から見本券サーバに要求することで、見本券サーバにおいて対応する見本券イメージを検索して要求元の見本券端末に配信表示して、表示された見本券イメージとファンから提出された投票券とを照合して払戻し業務を実行し得るようにしたので、簡単かつ安価に実施でき、投票券のレイアウト変更にも容易に対処できると共に、多数の相互払戻し場の見本券の管理も容易に行なうことができる。
【００４５】
また、本発明による投票券サーバによれば、払戻し有効期限が経過した見本券データは削除するようにしたので、払戻し有効期限が経過した投票券の払戻しを確実に防止することができる。
【００４６】
さらに、本発明による記録媒体によれば、これを見本券端末および見本券サーバに読み込ませることで、上記の配信表示システムを簡単に実現することができる。
【図面の簡単な説明】
【図１】本発明の第１実施の形態における配信表示システムの概略構成を示す図である。
【図２】図１に示す見本券端末および見本券サーバの要部の構成を示すブロック図である。
【図３】第１実施の形態による見本券イメージの作成動作を説明するためのフローチャートである。
【図４】同じく、見本券イメージの作成動作における見本券作成プレ作業画面を示す図である。
【図５】同じく、見本券イメージの作成動作における見本券イメージ作成画面を示す図である。
【図６】第１実施の形態による見本券イメージの検索動作を説明するためのフローチャートである。
【図７】同じく、見本券イメージの検索動作における見本券検索画面を示す図である。
【図８】同じく、見本券イメージの検索動作における見本券イメージ画面を示す図である。
【図９】本発明の第２実施の形態を説明するための図である。
【図１０】本発明の第３実施の形態における偽造券情報の作成・配信動作を説明するためのフローチャートである。
【図１１】同じく、偽造券情報の作成・配信動作における偽造券イメージ作成画面を示す図である。
【図１２】同じく、偽造券情報の作成・配信動作における偽造券イメージ画面を示す図である。
【図１３】従来の技術を説明するための図である。
【符号の説明】
１  見本券端末
２  見本券サーバ
５  データ送受信部
６  入力部
７  表示部
８  印刷部
９  制御部
１１  データ送受信部
１２  メモリ
１３  ディスク
１４  ＣＰＵ１４
【図１】
2004334406.tif 000003
【図２】
2004334406.tif 000004
【図３】
2004334406.tif 000005
【図４】
2004334406.tif 000006
【図５】
2004334406.tif 000007
【図６】
2004334406.tif 000008
【図７】
2004334406.tif 000009
【図８】
2004334406.tif 000010
【図９】
2004334406.tif 000011
【図１０】
2004334406.tif 000012
【図１１】
2004334406.tif 000013
【図１２】
2004334406.tif 000014
【図１３】
2004334406.tif 000015